(57)【要約】【課題】弾球遊技機の表示装置は大型化する傾向にある。一方、遊技板の大きさは規格化されていて拡張するのが困難であるため、遊技板の規格サイズを堅持しつつ表示装置の取付孔を大きくする必要があるが、そうすると取付孔を横断する箇所の遊技板の横断面積が小さくなって強度が低下する。遊技板の強度低下は歪みや割れの原因になるため、表示装置の大型化も限界に達している。【解決手段】断面積が小さい部位を横切る態様に分割して複数の遊技板構成片４ａ，４ｂを形成し、各遊技板構成片４ａ，４ｂ同士を組み合わせて一枚に仕立てるようにした。遊技板を前記部位で予め分割しておけば、歪みや割れが発生しない。よって遊技板のサイズを変更することなく取付孔を大きく拡張することができるから、その分、表示装置や入賞装置の大型化が可能になる。【選択図】        図１
2010179157.tif 000002
【特許請求の範囲】
【請求項１】
断面積が小さい部位を切る態様に分割して複数の遊技板構成片を形成し、各遊技板構成片同士を組み合わせて一枚に仕立てるようにしたことを特徴とする弾球遊技機用遊技板。
【発明の詳細な説明】
【技術分野】
【０００１】
本発明は、パチンコ機、雀球遊技機、スマートボール遊技機等、遊技球を発射して遊技を行う弾球遊技機の遊技板に関する。
【背景技術】
【０００２】
従来の弾球遊技機をパチンコ機を例に説明する。パチンコ機には遊技領域を形成するための遊技板が着脱自在な状態で装着されている。一般的な遊技板は、木製の合板の表面に合成樹脂製（例えばメラミン樹脂）の化粧板を貼着してなり、ガイドレールで円形に囲った遊技領域に、遊技球の落下方向を変化させる障害釘と、遊技球を受け入れる入賞装置と、図柄合わせゲーム等を行うための表示装置などが設けられている。
【発明の概要】
【発明が解決しようとする課題】
【０００３】
前記表示装置は表示内容の多様化、複雑化に対応して年々大型化する傾向にある。表示装置は遊技板に取付孔を穿ってその取付孔に装着するのであり、表示装置の大型化は取付孔の大型化に直結する。一方、遊技板の大きさはほぼ規格化されていて拡張するのが困難な状況にある。そのため遊技板の規格サイズを堅持しつつ取付孔を大きくする必要があるが、そうすると取付孔を横断する箇所の遊技板の横断面積が小さくなって強度が低下する。遊技板の強度低下は、歪みや割れの原因になるため、表示装置の大型化も現在ほぼ限界に達している。
【課題を解決するための手段】
【０００４】
本発明は上記に鑑みなされたもので、遊技領域に表示装置又は入賞装置に対応する取付孔を穿設してなる弾球遊技機用遊技板であって、最も大きい取付孔を横切る態様に分割して複数の遊技板構成片を形成し、各遊技板構成片同士を組み合わせて一枚に仕立てるようにした弾球遊技機用遊技板を提供する。
【０００５】
遊技板の強度は、最大の取付孔を横切る線上で最も弱い。従って遊技板を前記線上で予め分割しておけば、歪みや割れが発生しない。よって遊技板のサイズを変更することなく取付孔を大きく拡張することができるから、その分、表示装置や入賞装置の大型化が可能になる。
【発明の効果】
【０００６】
本発明の遊技板は、最大の取付孔を横切る線上で分割した形態の遊技板構成片を組み合わせるようにしたため、取付孔を大きくしても歪みや割れが起きにくい。よって遊技板のサイズを変更することなく取付孔を大きく拡張することができるから、その分、表示装置や入賞装置の大型化が可能になる。
【図面の簡単な説明】
【０００７】
【図１】実施形態１のパチンコ機の分解斜視図である。
【図２】実施形態１のパチンコ機の正面図である。
【図３】実施形態２のパチンコ機の断面正面図である。
【図４】実施形態２の遊技板の係止部分を示す要部の断面図である。
【発明を実施するための形態】
【０００８】
以下に本発明の実施形態１をパチンコ機を例に説明する。なお、図１はパチンコ機の分解斜視図、図２はパチンコ機の正面図である。
【０００９】
パチンコ機１は、四角い外枠２と、その外枠２の正面に片開きドア状に開閉可能なように蝶着した前枠３と、前枠３に取り付けた遊技板４と、前枠３の裏側に取り付けた機構板５とを有する。前枠３は大きな窓孔６を有する額縁状であり、その前枠３の表側に窓孔６を覆う開閉自在なガラス扉枠７と球皿８付きの前面板９が軸着されている。一方、前枠３の裏側には、前記前面板９と向かい合う位置に球発射ユニットの支持基盤となる球発射板１０が形成され、さらに窓孔６の左右上辺沿いに桟枠１１が突設されている。
【００１０】
前記遊技板４は桟枠１１と機構板５の間に位置し、桟枠１１に突設した取付軸１２と機構板５に設けた締め金具１３の組合せによる固定手段で前枠３に取り付けられる。遊技板４はこの取り付け状態でその下辺が球発射板１０の上に載っており、球発射板１０の前面と遊技板４の前面が面一になる。また、遊技板４の表側にはガイドレール１５が取り付けられていて、そのガイドレール１５で囲われた円形の部分が遊技領域１６となる。遊技板４の遊技領域１６には遊技球の落下方向を変化させる多数の障害釘１７と、遊技球を受け入れる入賞装置１８と、図柄合わせゲーム等を行うための表示装置１９などが設けられている。なお、図１中符号１４は遊技板４に穿設した貫通孔であり、この貫通孔１４に前記固定手段の取付軸１２が通る。
【００１１】
しかして前記遊技板４は、図１に示したように二つの遊技板構成片４ａ，４ｂの組み合わせ構造になっている。すなわち各遊技板構成片４ａ，４ｂは、表示装置１９の取付孔２０を横切る位置で遊技板４を上下に二分割した形態になっており、両者が合致して一枚の遊技板４となる。遊技領域１６にある障害釘１７と入賞装置１８は各遊技板構成片４ａ，４ｂに分けて直接取り付ければよく、また、ガイドレール１５は、遊技板構成片４ａ，４ｂのつなぎ目で上下に分割させて各遊技板構成片４ａ，４ｂに取り付ける。なお、ガイドレール１５は、遊技板４の表側に当接するように補助板（図示せず）を前枠３に突設し、その補助板に取り付けるようにしてもよい。一方、表示装置１９は下の遊技板構成片４ａか上の遊技板構成片４ｂの何れか一方に取り付ければよく、他方には固定する必要がない。この実施形態１では下の遊技板構成片４ａに表示装置１９が取り付けられている。
【００１２】
実施形態１の遊技板４は以上のように構成されているため、前枠３に対して先ず下の遊技板構成片４ａを桟枠１１に取り付け、次に上の遊技板構成片４ｂを取り付け、最後に機構板５を閉じて締め金具１３で締め付ければよい。なお、下の遊技板構成片４ａに表示装置１９が取り付けられているため、上の遊技板構成片４ｂを後に取り付けるに際して表示装置１９の正面フランジ２１が邪魔にならない。
【００１３】
［発明の実施形態２］
図３，図４は実施形態２を示すもので、図３はパチンコ機の断面正面図、図４は遊技板の係止部分を示す要部の断面図である。
【００１４】
この実施形態２のパチンコ機１は、遊技板４の着脱を前枠３の表側から実行する形式であり、各遊技板構成片４ａ，４ｂは桟枠１１に形成した弾性的な係止片２２により桟枠１１に取り付けられ、また、この係止片２２を弾性に抗して撓ませることにより桟枠１１から取り外し得る。この実施形態２では上の遊技板構成片４ｂに表示装置１９が取り付けられている。
【００１５】
実施形態２の遊技板４は以上のように構成されているため、前枠３に対して先ず下の遊技板構成片４ａを桟枠１１に取り付けてから上の遊技板構成片４ｂを取り付ければよい。なお、実施形態２では上の遊技板構成片４ｂに表示装置１９が取り付けられているため、遊技板構成片４ａ，４ｂの取り付けに際して表示装置１９の正面フランジ２１が邪魔にならない。
【００１６】
以上本発明を実施の形態１，２について説明したが、もちろん本発明は上記各実施形態に限定されるものではない。例えば実施形態ではパチンコ機１について説明したが、それ以外の雀球遊技機、スマートボール遊技機等、遊技球を発射して遊技を行う弾球遊技機の全てに適用可能である。また、実施形態では遊技板構成片４ａ，４ｂを遊技板４を上下に二分割した形態としたが、左右方向に分割した形態にしてもよく、また、分割数も二つに限定されない。また、実施形態では表示装置１９を取り付けた遊技板４について説明したが、遊技領域１６のセンターに大型の入賞装置１８が取り付けられている遊技板４にも同様に適用可能である。
【００１７】
また、実施形態では遊技板構成片４ａ，４ｂをばらばらにして取り扱うように構成したが、遊技板構成片４ａ，４ｂを適宜なジョイント部材（図示せず）で連結すれば従来の一枚構造の遊技板４と同じように取り扱うことができる。
【００１８】
また、実施形態では表示装置１９を何れか一方の遊技板構成片４ａ，４ｂに取り付けるようにしたが、例えば表示装置１９をどちらにも取り付けることなく、前枠３に遊技板構成片４ａ，４ｂを装着した後に取り付けたり、或いは予め遊技板構成片４ａ，４ｂを連結させておいてそこに表示装置１９を取り付けるようになし、その後に遊技板構成片４ａ，４ｂを前枠３に装着するようにしてもよい。
【符号の説明】
【００１９】
１  …パチンコ機（弾球遊技機）
４  …遊技板
４ａ，４ｂ…遊技板構成片
１６…遊技領域
１９…表示装置
２０…取付孔
【図１】
2010179157.tif 000003
【図２】
2010179157.tif 000004
【図３】
2010179157.tif 000005
【図４】
2010179157.tif 000006